(57)【要約】【課題】高温状態のガスの集塵処理を行ってもセラミックフィルタを安定的に固定すること。【解決手段】キャンドル型セラミックフィルタ１６は、有底円筒状のセラミックフィルタ本体１６１と、セラミックフィルタ本体１６１の閉塞されていない一方の端部側に形成されたフランジ部１６２と、を備えている。キャンドル型セラミックフィルタ１６は、缶体１０に形成された支持孔１０ａにセラミックフィルタ本体１６１の閉塞されていない他方の端部を上方向から挿通し、フランジ部１６２を支持孔１０ａの周縁部に当接させることによって缶体１０に支持されている。フランジ部１６２と支持孔１０ａの周縁部との間には、ドーナツ形状のガスケット３０が介在している。フランジ部１６２の上部には、固定部材２０が載置されている。【選択図】図２
2014033994.tif 000002
【特許請求の範囲】
【請求項１】
一方の端部にフランジ部を有するキャンドル型セラミックフィルタと、
前記キャンドル型セラミックフィルタの他方の端部が挿通される支持孔を有し、他方の端部が支持孔に挿通されたキャンドル型セラミックフィルタのフランジ部を上面に当接させることによってキャンドル型セラミックフィルタを支持する支持部材と、
前記フランジ部を収容可能な大きさの凹部を底部に有し、前記支持部材によって支持されているキャンドル型セラミックフィルタのフランジ部の上面を凹部の底面で押圧することによってキャンドル型セラミックフィルタを固定する固定部材と、
を備えることを特徴とするセラミックフィルタ集塵装置。
【請求項２】
前記固定部材は、他の固定部材が有する前記凹部に係合可能な大きさを有する凸部を備えることを特徴とする請求項１に記載のセラミックフィルタ集塵装置。
【請求項３】
前記固定部材は、前記キャンドル型セラミックフィルタの排ガス排出口に連通する貫通孔を有する円筒形状の部材によって形成されていることを特徴とする請求項１又は２に記載のセラミックフィルタ集塵装置。
【請求項４】
前記フランジ部と前記支持部材の上面との間に介在するシール部材を備えることを特徴とする請求項１〜３のうち、いずれか１項に記載のセラミックフィルタ集塵装置。
【発明の詳細な説明】
【技術分野】
【０００１】
本発明は、高温状態のガスの集塵処理に適用して好適なセラミックフィルタ集塵装置に関する。
【背景技術】
【０００２】
従来より、キャンドル型と呼ばれる有底円筒状のセラミックフィルタの外周面に含塵排ガスを導入して外周面にダストを付着させ、内周面から清浄なガスを排出することによって、排ガス中のダストを捕集して清浄なガスとして外部に排出するセラミックフィルタ集塵装置が知られている（例えば特許文献１参照）。このような集塵装置では、セラミックフィルタは、閉塞されていない一方の端部側に形成されたフランジ部を集塵装置の取付部にボルトで固定することによって、閉塞されている他方の端部側を下方にして吊り下げられた状態で集塵装置に固定されている。
【先行技術文献】
【特許文献】
【０００３】
【特許文献１】特公平６−５９３７４号公報
【発明の概要】
【発明が解決しようとする課題】
【０００４】
一般に、セラミックフィルタの耐熱温度は高いために、セラミックフィルタ集塵装置は６００〜９００℃程度の高温状態のガスの集塵処理に適用することができる。しかしながら、従来のセラミックフィルタ集塵装置によれば、セラミックフィルタがボルトによって取付部に固定されているために、高温状態のガスの集塵処理を行った際、熱によってボルトが変形することによりセラミックフィルタを安定的に固定できなくなる可能性があった。このため、高温状態のガスの集塵処理を行ってもセラミックフィルタを安定的に固定可能な技術の提供が期待されていた。
【０００５】
本発明は、上記課題に鑑みてなされたものであって、その目的は、高温状態のガスの集塵処理を行ってもセラミックフィルタを安定的に固定可能なセラミックフィルタ集塵装置を提供することにある。
【課題を解決するための手段】
【０００６】
上記課題を解決し、目的を達成するために、本発明に係るセラミックフィルタ集塵装置は、一方の端部にフランジ部を有するキャンドル型セラミックフィルタと、前記キャンドル型セラミックフィルタの他方の端部が挿通される支持孔を有し、他方の端部が支持孔に挿通されたキャンドル型セラミックフィルタのフランジ部を上面に当接させることによってキャンドル型セラミックフィルタを支持する支持部材と、前記フランジ部を収容可能な大きさの凹部を底部に有し、前記支持部材によって支持されているキャンドル型セラミックフィルタのフランジ部の上面を凹部の底面で押圧することによってキャンドル型セラミックフィルタを固定する固定部材と、を備えることを特徴とする。
【０００７】
本発明に係るセラミックフィルタ集塵装置は、上記の発明において、前記固定部材が、他の固定部材が有する前記凹部に係合可能な大きさを有する凸部を備えることを特徴とする。
【０００８】
本発明に係るセラミックフィルタ集塵装置は、上記の発明において、前記固定部材が、前記キャンドル型セラミックフィルタの排ガス排出口に連通する貫通孔を有する円筒形状の部材によって形成されていることを特徴とする。
【０００９】
本発明に係るセラミックフィルタ集塵装置は、上記の発明において、前記フランジ部と前記支持部材の上面との間に介在するシール部材を備えることを特徴とする。
【発明の効果】
【００１０】
本発明に係るセラミックフィルタ集塵装置によれば、ボルトを用いることなく、フランジ部の上面に載置された固定部材によってセラミックフィルタを押圧することによりセラミックフィルタを固定するので、高温状態のガスの集塵処理を行ってもセラミックフィルタを安定的に固定することができる。
【図面の簡単な説明】
【００１１】
【図１】図１は、本発明の一実施形態であるセラミックフィルタ集塵装置の構成を示す断面図である。
【図２】図２は、本発明の一実施形態であるキャンドル型セラミックフィルタの固定構造を示す模式図である。
【図３】図３は、図２に示す固定部材の構成を示す斜視図である。
【図４】図４は、本発明の一実施形態であるキャンドル型セラミックフィルタの固定方法を説明するための模式図である。
【図５】図５は、図３に示す固定部材が積層された状態を示す斜視図である。
【発明を実施するための形態】
【００１２】
以下、図面を参照して、本発明の一実施形態であるセラミックフィルタ集塵装置について説明する。
【００１３】
〔セラミックフィルタ集塵装置の構成〕
図１は、本発明の一実施形態であるセラミックフィルタ集塵装置の構成を示す断面図である。図１に示すように、本発明の一実施形態であるセラミックフィルタ集塵装置１は、例えば四角筒状の缶体１０を備えている。缶体１０の下端部には、下方に延びる例えば角錐状のホッパ１１が固定され、ホッパ１１の下端部には、捕集されたダストＤを外部に排出する集塵ダスト排出装置１２が接続されている。
【００１４】
缶体１０の下方側部には、ダストＤを含む排ガス（以下、含塵排ガスと表記）を缶体１０内に導入する排ガス供給管１３が配設されている。缶体１０の上部には、配管１４ａ，１４ｂを介してダストＤが除去された排ガス（以下、除塵排ガスと表記）を外部に排出する排ガス排出管１５が配設されている。缶体１０内部の排ガス供給管１３と排ガス排出管１５との間の空間には、複数のキャンドル型セラミックフィルタ１６（１６ａ〜１６ｈ）が水平方向に沿って配設されている。
【００１５】
缶体１０の上方側部には、缶体１０内部の排ガス排出管１５と複数のキャンドル型セラミックフィルタ１６ａ〜１６ｈとの間の空間内において水平方向に延伸する逆洗配管１７，１８が配設されている。逆洗配管１７は、それぞれキャンドル型セラミックフィルタ１６ａ〜１６ｄの排ガス排出口に向けて高圧の空気を噴出する噴出口１７ａ〜１７ｄを備えている。逆洗配管１８は、それぞれキャンドル型セラミックフィルタ１６ｅ〜１６ｈの排ガス排出口に向けて高圧の空気を噴出する噴出口１８ａ〜１８ｄを備えている。逆洗配管１７の終端部と逆洗配管１８の終端部とは所定間隔を空けて離間している。
【００１６】
このような構成を有するセラミックフィルタ集塵装置１では、排ガス供給管１３から缶体１０内部に含塵排ガスが供給されると、含塵排ガスは、キャンドル型セラミックフィルタ１６の外周面に導入される。外周面に導入された含塵排ガスは、キャンドル型セラミックフィルタ１６を透過して内周面側に流出する。この際、含塵排ガス中のダストＤはキャンドル型セラミックフィルタ１６によって捕集される。これにより、配管１４ａ，１４ｂ及び排ガス排出管１５を介して清浄な除塵排ガスが外部に排出される。
【００１７】
一方、キャンドル型セラミックフィルタ１６に対し逆洗処理を施す際には、逆洗配管１７，１８に高圧状態の空気を供給する。逆洗配管１７，１８に高圧状態の空気が供給されると、高圧状態の空気が噴出口１７ａ〜１７ｄ，１８ａ〜１８ｄを介して対応するキャンドル型セラミックフィルタ１６の内周面に噴出される。内周面に高圧状態の空気が噴出されると、高圧状態の空気が、キャンドル型セラミックフィルタ１６を通過し、捕集されているダストＤを外周面側に排出する。外周面側から排出されたダストＤは、ホッパ１１の下端部に落下し、ホッパ１１の下端部に接続されている集塵ダスト排出装置１２によって外部に排出される。
【００１８】
〔セラミックフィルタの固定構造〕
次に、図２，３を参照して、図１に示すキャンドル型セラミックフィルタ１６の固定構造について説明する。図２は、図１に示すキャンドル型セラミックフィルタ１６の固定構造を示す模式図である。図３は、図２に示す固定部材２０の構成を示す斜視図である。
【００１９】
図２に示すように、キャンドル型セラミックフィルタ１６は、有底円筒状のセラミックフィルタ本体１６１と、セラミックフィルタ本体１６１の閉塞されていない一方の端部側に形成されたフランジ部１６２と、を備えている。キャンドル型セラミックフィルタ１６は、缶体１０に形成された支持孔１０ａにセラミックフィルタ本体１６１の閉塞されていない他方の端部を上方向から挿通し、フランジ部１６２を支持孔１０ａの周縁部に当接させることによって缶体１０に支持されている。フランジ部１６２と支持孔１０ａの周縁部との間には、本発明に係るシール部材として機能するドーナツ形状のガスケット３０が介在している。フランジ部１６２の上部には、固定部材２０が載置されている。図３に示すように、固定部材２０は、開口部２１を有する円筒形状の部材によって形成され、その底部及び上部にはそれぞれ凹部２２及び凸部２３が形成されている。
【００２０】
開口部２１は、セラミックフィルタ本体１６１の内周面に連通し、逆洗処理時に噴出口１７ａ〜１７ｄ，１８ａ〜１８ｄ（図１参照）から噴出された高圧状態の空気をセラミックフィルタ本体１６１の内周面に導く。凹部２２は、フランジ部１６２を収容可能な大きさを有し、その底面においてフランジ部１６２の上面に当接することによってフランジ部１６２に押圧することによりキャンドル型セラミックフィルタ１６を固定する。凸部２３は、他の固定部材の凹部２２に係合可能な大きさを有している。
【００２１】
〔セラミックフィルタの固定方法〕
次に、図４を参照して、図１に示すキャンドル型セラミックフィルタ１６の固定方法について説明する。図４は、図１に示すキャンドル型セラミックフィルタ１６の固定方法を示す模式図である。
【００２２】
図４に示すように、キャンドル型セラミックフィルタ１６を固定する際には、始めに、セラミックフィルタ本体１６１の閉塞されている他方の端部側からガスケット３０を挿通する。次に、セラミックフィルタ本体１６１の閉塞されている他方の端部を支持孔１０ａの上方向から挿通し、ガスケット３０を介してフランジ部１６２を支持孔１０ａの周縁部に当接させる。これにより、キャンドル型セラミックフィルタ１６は、缶体１０の上面部において支持される。
【００２３】
次に、凹部２２の底面がフランジ部１６２の上面に当接するようにフランジ部１６２の上面に固定部材２０を載置する。これにより、フランジ部１６２は固定部材２０によって下方向に押圧され、キャンドル型セラミックフィルタ１６は固定される。また、フランジ部１６２と支持孔１０ａの周縁部との間にはガスケット３０が介在しているので、排ガス供給管１３側の空間と排ガス排出管１５側の空間との間のシール性を向上させることができる。また、凹部２２は、フランジ部１６２を収容可能な大きさを有しているので、固定部材２０が水平方向にずれることが抑制され、フランジ部１６２に均等に荷重をかけることができる。
【００２４】
なお、本実施形態では、１個の固定部材２０をフランジ部１６２の上面に載置することによってキャンドル型セラミックフィルタ１６を固定したが、フランジ部１６２の上面に載置する固定部材２０の個数は１個に限定されることはない。すなわち、既に述べたように、固定部材２０の上部に形成された凸部２３の大きさは、固定部材２０の底部に形成された凹部２３に収容可能な大きさに設計されている。つまり、図５に示すように、固定部材２０は、一方の固定部材２０Ａの凸部２３Ａを他方の固定部材２０Ｂの凹部２２Ｂに係合させることによって、任意の個数に積層することができる。
【００２５】
従って、固定するキャンドル型セラミックフィルタ１６の重量に合わせてフランジ部１６２の上面に載置する固定部材２０の個数を適切に設定するとよい。具体的には、重量が軽いキャンドル型セラミックフィルタ１６では、逆洗処理の際に高圧状態の空気を供給した際、キャンドル型セラミックフィルタ１６が高圧状態の空気によって揺動する可能性がある。このため、自重の軽いキャンドル型セラミックフィルタ１６を固定する際には、フランジ部１６２の上面に載置する固定部材２０の個数を通常の個数より多くすると良い。これにより、逆洗処理の際に高圧状態の空気を供給した際、キャンドル型セラミックフィルタ１６が揺動することを抑制できる。
【００２６】
以上、本発明者によってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【符号の説明】
【００２７】
１  セラミックフィルタ集塵装置
１０  缶体
１０ａ  支持孔
１１  ホッパ
１２  集塵ダスト排出装置
１３  排ガス供給管
１４ａ，１４ｂ  配管
１５  排ガス排出管
１６（１６ａ〜１６ｈ）  キャンドル型セラミックフィルタ
１７，１８  逆洗配管
１７ａ〜１７ｄ，１８ａ〜１８ｄ  噴出口
２０  固定部材
２１  開口部
２２  凹部
２３  凸部
３０  ガスケット
１６１  セラミックフィルタ本体
１６２  フランジ部
Ｄ  ダスト
【図１】
2014033994.tif 000003
【図２】
2014033994.tif 000004
【図３】
2014033994.tif 000005
【図４】
2014033994.tif 000006
【図５】
2014033994.tif 000007